(57)【要約】      （修正有）【課題】軽量かつ安価な防炎ボックスを提供する。【解決手段】防炎材質からなり且つ内部に収納空間が形成されるボックス本体１１と、防炎材質からなり且つ該ボックス本体上に嵌合可能な蓋体１２とを備える防火ボックスにおいて、該ボックス本体の裏面と該蓋体の裏面には内シートが設け、また、該ボックス本体の表面と該蓋体の表面には防炎布からなる外シート１４が設け、該収納空間に、小型貴重品が収納保管される。【選択図】図１
0003142384.tif 000002
【実用新案登録請求の範囲】
【請求項１】
防炎材質からなり且つ内部に収納空間が形成されるボックス本体と、
防炎材質からなり且つ該ボックス本体上に嵌合可能な蓋体と、
備える防火ボックスであって、
該ボックス本体の裏面と該蓋体の裏面には内シートが設け、また、該ボックス本体の表面と該蓋体の表面には防炎布からなる外シートが設けることを特徴とする防炎ボックス。
【請求項２】
該ボックス本体には更に矩形または円形である底板を有し、該底板の周縁から側板が上へ延設され、該収納空間が、該底板と側板の間に形成されることを特徴とする請求項１に記載の防炎ボックス。
【請求項３】
防炎材質からなり且つ内部に収納空間が形成されるボックス本体と、
防炎材質からなり且つ一側が該ボックス本体の一側に枢着され、該ボックス本体との当接部分には開閉可能な締め手段が設ける蓋体と、
を備える防火ボックスであって、
該ボックス本体の裏面と該蓋体の裏面には内シートが設け、また、該ボックス本体の表面と該蓋体の表面には防炎布からなる外シートが設けることを特徴とする防炎ボックス。
【請求項４】
該ボックス本体は更に矩形または円形である底板があり、該底板の周縁から側板が上へ延設され、該収納空間が、該底板と側板の間に形成されることを特徴とする請求項３に記載の防炎ボックス
【考案の詳細な説明】
【技術分野】
【０００１】
本考案は、防炎ボックスに関し、特に、小型の貴重品を収納して保管するものに関する。
【背景技術】
【０００２】
火災事故において、現金や宝石などのような小型貴重品が、適当な收納ボックスに收納せずに保管されていないので、財産の損失になる場合がある。
【０００３】
従来の小型貴重品を收納して保管することに供された收納ボックスは、防炎材質として金属を使用するため、重量が重くてコストも高く、收納や携行には不便である。
【０００４】
中華民国新型専利公告第５９５６０７号である考案には、「防水防炎防電磁波の収納ボックス」を掲示した。そのボックス本体は外層の金属板と防炎層からなるもので、重量が重くてコストが高いから、このボックスの收納や携行には不便である。
【０００５】
本考案者は、上記の欠点を改善するため、鋭意に検討し重ねた上、設計が合理的で且つ有効に上記の欠点を改善する本考案を提案する。
【考案の開示】
【考案が解決しようとする課題】
【０００６】
本考案の主な目的は、防炎機能を有する防炎ボックスであって、重量が軽くてコストが低く、ユーザーにとって、ボックスの保管收納や携行に便利である防炎ボックスを提供する。
【課題を解決するための手段】
【０００７】
本考案は、上記の目的を達成するため、防炎材質からなり且つ内部に収納空間が形成されるボックス本体と、防炎材質からなり且つ該ボックス本体上に嵌合可能な蓋体と、を備える防火ボックスであって、該ボックス本体の裏面と該蓋体の裏面には内シートが設け、また、該ボックス本体の表面と該蓋体の表面には防炎布からなる外シートが設けることを特徴とする防炎ボックス。
【０００８】
本考案は、更に、防炎材質からなり且つ内部に収納空間が形成されるボックス本体と、防炎材質からなり且つ一側が該ボックス本体の一側に枢着され、該ボックス本体との当接部分には開閉可能な締め手段が設ける蓋体と、を備える防火ボックスであって、該ボックス本体の裏面と該蓋体の裏面には内シートが設け、また、該ボックス本体の表面と該蓋体の表面には防炎布からなる外シートが設けることを特徴とする防炎ボックス。
【０００９】
本考案によると、次の効果が得られる。
【００１０】
（１）防炎ボックスのボックス本体と蓋体は防炎材質であるため、防炎や軽量や低コストなどの利点がある。
【００１１】
（２）防炎ボックスのボックス本体と蓋体の外シートは、防炎布であるため、防炎機能を持つ。
【００１２】
以下、図面を参照しながら、本考案の特徴や技術内容について、詳しく説明するが、本考案は、参考や説明するためのそれらの図面や実施例によって、制限されることがない。
【考案を実施するための最良の形態】
【００１３】
以下、図面を参照しながら、具体的な実施例を挙げて、本考案を詳しく説明する。
【００１４】
図１乃至図３は、本考案に係る防炎ボックス１であって、この防炎ボックス1は、ボックス本体１１と蓋体１２が備え、該ボックス本体１１には、底板１１１と側板１１２を有し、且つ前記底板１１１と側板１１２により収納空間１５が形成される。該底板１１１が例えば、矩形や円形（図４のように）の任意の形状であってもよく、本実施例によると、該底板１１１が矩形である。側板１１２は該底板１１１の周縁から上へ延びて設けられる。該収納空間１５は該底板１１１と側板１１２の間に形成されたスペースであって、宝石や現金などのような小型貴重品を収納し保管する。該蓋体１２は、矩形や円形（図４のように）の任意形状であって、例えば本実施例における該蓋体１２は矩形である。該蓋体１２は該ボックス本体１１上に嵌合されることができる。
【００１５】
該ボックス本体１１と該蓋体１２の裏面は、それぞれ、任意材質からなる内シート１３が設けられ、また、該ボックス本体１１と該蓋体１２の表面は、それぞれ、防炎布からなる外シート１４が設けられる。該ボックス本体１１と該蓋体１２が防炎材質であるため、防炎ボックス１は、防炎や軽量及び低コストという目的に達成する。防炎材質と防炎布は、その繊維自身が燃焼しないという原理から、永久性難燃、防炎、液滴落下（ｍｅｌｔ  ｄｒｏｐ）せず、煙無きなどのような特性を有し、火は一旦に防炎材質と防炎布から離れると消火しまい、火源がなければ燃え広がりにくく、延焼防止の目的に達成する。防炎材質として一般市販の防炎繊維であるアクリル酸化繊維や、綿繊維や、ポリエステル繊維や、変性アクリル繊維や、ポリアミド繊維や、酸化繊維や他の防炎繊維を用いる。このような防炎繊維は、着火すると捲縮や炭化或いは軟化になり、火源が離れると自己消火しまい、液滴落下もせず煙も無いので、２次火災になることもない。例えば、防炎材質と防炎布としては、デュポンＮｏｍａｘ、Ｋｅｖｌａｒを例示しることができるが、耐熱温度が摂氏２００−３０００度の範囲にあれば、他の種類の防炎材質であってもよい。本実施例において、内シート１３は、２０％乃至５０％のＮｏｍａｘ防炎材質から構成され、防炎温度が摂氏２５０度に達する。該ボックス本体１１と該蓋体１２が、通気且つ防炎の防炎繊維であるため、防炎温度が、摂氏１０００度に達する。外シート１４は、Ｎｏｍａｘ防炎材質や、アルミニウムや、ガラス繊維や二酸化ケイ素等の材質から構成される防炎布であるため、防炎温度が、摂氏３０００度までに達する。
【００１６】
図４は、本考案に係る防炎ボックス１の他の実施例である。該蓋体１２の一側は該ボックス本体１１の一側に枢着され、該蓋体１２と該ボックス本体１１の当接部には、例えばファスナーのような開閉可能な締め手段１６が設ける。
【００１７】
本考案に係る防炎ボックスのボックス本体１１と蓋体１２は、防炎材質であって、防炎や軽量及び低コストの利点を具備し、外シート１４が防炎布からなるため、防炎機能を有し、ユーザーにとって、収納や携行に便利である。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案に係る防炎ボックスの第１の実施例の斜視分解図
【図２】本考案に係る防炎ボックスの第１の実施例の斜視組立て図
【図３】本考案に係る防炎ボックスの第１の実施例の断面図
【図４】本考案に係る防炎ボックスの第２の実施例の斜視図。
【符号の説明】
【００２０】
１      防炎ボックス
１１      ボックス本体
１１１      底板
１２      蓋体
１１２      側板
１３      内シート
１４      外シート
１５      収納空間
１６      開閉可能な締め手段
【図１】
0003142384.tif 000003
【図２】
0003142384.tif 000004
【図３】
0003142384.tif 000005
【図４】
0003142384.tif 000006